(57)【特許請求の範囲】
【請求項１】
傾斜した屋根を支持する屋根支持体であって、
山形状に形成されて、互いに反対側に傾斜する屋根を下方から支持する屈曲梁と、
この屈曲梁の各端部にそれぞれ上端部が固定されて、前記屈曲梁を支持する二本の第１支持柱と、
各第１支持柱にそれぞれ固定され、屋根の傾斜方向と同方向に傾斜する斜辺部によって前記屋根を下方から支持する二つの三角形状の建築用パネルと、
前記屈曲梁の屈曲部に上端部が固定されて、前記屈曲部を下方から支持する第２支持柱と、を備え、
前記屈曲梁と第１支持柱は第１接合部材によって一体的に接合されており、
前記屈曲梁と第２支持柱は第２接合部材によって一体的に接合されており、
前記屈曲梁は、直線状の一対の梁を山形状になるように接合することによって構成され、
これら梁同士は、前記第２接合部材によって接合されていることを特徴とする屋根支持体。
【請求項２】
請求項１記載の屋根支持体において、
前記屈曲梁の端部と第１支持柱の上端部とには、屈曲梁から第１支持柱まで連続する第１溝が形成され、
前記屈曲梁の屈曲部と第２支持柱の上端部とには、屈曲梁から第２支持柱まで連続する第２溝が形成され、
前記第１溝に第１接合部材が挿入されて、前記屈曲梁および第１支持柱に固定され、
前記第２溝に第２接合部材が挿入されて、前記屈曲梁および第２支持柱に固定されていることを特徴とする屋根支持体。
【請求項３】
傾斜した屋根を支持する屋根支持体であって、
山形状に形成されて、互いに反対側に傾斜する屋根を下方から支持する屈曲梁と、
この屈曲梁の各端部にそれぞれ上端部が固定されて、前記屈曲梁を支持する二本の第１支持柱と、
各第１支持柱にそれぞれ固定され、屋根の傾斜方向と同方向に傾斜する斜辺部によって前記屋根を下方から支持する二つの三角形状の建築用パネルと、
前記屈曲梁の屈曲部に上端部が固定されて、前記屈曲部を下方から支持する第２支持柱と、を備え、
前記屈曲梁と第１支持柱は第１接合部材によって一体的に接合されており、
前記屈曲梁と第２支持柱は第２接合部材によって一体的に接合されており、
前記屈曲梁の端部と第１支持柱の上端部とには、屈曲梁から第１支持柱まで連続する第１溝が形成され、
前記屈曲梁の屈曲部と第２支持柱の上端部とには、屈曲梁から第２支持柱まで連続する第２溝が形成され、
前記第１溝に第１接合部材が挿入されて、前記屈曲梁および第１支持柱に固定され、
前記第２溝に第２接合部材が挿入されて、前記屈曲梁および第２支持柱に固定されていることを特徴とする屋根支持体。
【発明の詳細な説明】
【０００１】
【発明の属する技術分野】
本発明は、屋根支持体に関する。
【０００２】
【背景の技術】
近年、住宅事情により住宅内の空間を最大限に利用することが望まれており、小屋裏を居室として利用するのもそのうちの一つである。
従来、例えば、特開平７−６２７６１号公報に開示されるように、建物の屋根は、柱や外壁によって支持されるとともに、小屋裏に設けられた内壁によっても支持されている。小屋裏は、外壁や内壁によって仕切られており、仕切られた空間毎に居室として利用することが可能であるが、居室とするには内壁に出入口を設けたり、外壁に窓を設ける必要がある。
【０００３】
【発明が解決しようとする課題】
ところで、パネル工法で構築される住宅において、屋根を支持する外壁や小屋裏で屋根を支持する内壁は、建築用パネルによって形成されているが、この建築用パネルによって、出入口や窓としての開口部を形成する場合、形状および大きさの異なる複数種のパネルを組み合わせて開口部を形成しなければならなかった。
【０００４】
そこで、本発明の課題は、形状および大きさの異なる複数種のパネルを組み合わせることなく開口部を形成でき、しかも屋根を支持できる屋根支持体を提供することである。
【０００５】
【課題を解決するための手段】
上記課題を解決するため、請求項１記載の発明は、例えば、図１〜図９に示すように、傾斜した屋根Ｒを支持する屋根支持体１０であって、山形状に形成されて、互いに反対側に傾斜する屋根Ｒを下方から支持する屈曲梁１と、この屈曲梁１の各端部にそれぞれ上端部が固定されて、前記屈曲梁１を支持する二本の第１支持柱２と、各第１支持柱２にそれぞれ固定され、屋根Ｒの傾斜方向と同方向に傾斜する斜辺部３１によって前記屋根Ｒを下方から支持する二つの三角形状の建築用パネル３と、前記屈曲梁１Ｂの屈曲部１１に上端部が固定されて、前記屈曲部１１を下方から支持する第２支持柱４と、を備え、前記屈曲梁１Ｂと第１支持柱２は第１接合部材５によって一体的に接合されており、前記屈曲梁１Ｂと第２支持柱４は第２接合部材６によって一体的に接合されており、前記屈曲梁１Ｃは、直線状の一対の梁１ｃを山形状になるように接合することによって構成され、これら梁１ｃ同士は、前記第２接合部材６によって接合されていることを特徴とする。
【０００６】
請求項１記載の発明によれば、第１支持柱２によって支持された屈曲梁１と、第１支持柱２に固定された建築用パネル３の斜辺部３１によって屋根Ｒを下方から支持することができる。そして、屈曲梁１の各端部より内側には建築用パネル３は存在せず、開口された状態になる。よって、従来のように形状や大きさの異なる複数種の建築用パネル３を組み合わせることなく、開口部７を形成できる。なお、屋根支持体１０を外壁側に配置した際は、その開口部７に窓を設けることができ、小屋裏内に配置した際は、その開口部７に出入口を設けることができる。
また、屈曲梁１Ｂの屈曲部１１に第２支持柱４の上端部が固定されているため、屈曲梁１Ｂを二本の第１支持柱２と一本の第２支持柱４とによって支持することになる。よって、第１支持柱２のみで屈曲梁１を支持するよりも強固な屋根支持体２０とすることができる。なお、屈曲梁１の下方の開口部７は、第２支持柱４によって分割されるが、窓や出入口がこの分割された開口部７内に収まる大きさであるときには、第２支持柱４を備えた屋根支持体２０を用いる方が好ましい。
また、屈曲梁１Ｂと第１支持柱２は第１接合部材５によって一体的に接合されており、屈曲梁１Ｂと第２支持柱４は第２接合部材６によって一体的に接合されているため、屈曲梁１Ｂと第１支持柱２と第２支持柱４とが一体となった構造体を構築できる。よって、屋根支持体２０の強度を高めることができる。
また、屈曲梁１Ｃは、直線状の一対の梁１ｃを山形状になるように接合することによって構成されているため、屈曲梁１Ｃを形成する際に、直線状の梁材を屈曲させる必要がなくなる。また、屈曲梁１に第２支持柱４を固定するための第２接合部材６は、梁１ｃ同士を接合する接合部材としても機能しているため、梁１ｃを接合するための接合部材を別途必要としない。さらに、屈曲梁１Ｃは、約半分の大きさに分割可能となるため、屈曲梁１Ｃを容易に製造できるとともに、屈曲梁１Ｃの運搬を容易にできる。
【０００７】
請求項２記載の発明は、例えば、図５および図７〜図９に示すように、請求項１記載の屋根支持体２０，３０において、前記屈曲梁１Ｂ，１Ｃの端部と第１支持柱２の上端部とには、屈曲梁１Ｂ，１Ｃから第１支持柱２まで連続する第１溝５５が形成され、前記屈曲梁１Ｂ，１Ｃの屈曲部１１と第２支持柱４の上端部とには、屈曲梁１Ｂ，１Ｃから第２支持柱４まで連続する第２溝６６が形成され、前記第１溝５５に第１接合部材５が挿入されて、前記屈曲梁１Ｂ，１Ｃおよび第１支持柱２に固定され、前記第２溝６６に第２接合部材６が挿入されて、前記屈曲梁１Ｂ，１Ｃおよび第２支持柱４に固定されていることを特徴とする。
【０００８】
請求項２記載の発明によれば、第１接合部材５は第１溝５５に挿入されて、屈曲梁１Ｂ，１Ｃおよび第１支持柱２に固定され、第２接合部材６は第２溝６６に挿入されて、屈曲梁１Ｂ，１Ｃおよび第２支持柱４に固定されるため、例えば、屋根支持体２０，３０を内壁に用いた際に、両接合部材５，６は室内に露出することがなく、美観を損ねることがない。また、両接合部材５，６は、屈曲梁１Ｂ，１Ｃ、第１支持柱２、第２支持柱４のいずれからも突出することはなく、他の部材を取り付ける際に邪魔とならない。
【０００９】
請求項３記載の発明は、例えば、図１〜図５、図７〜図９に示すように、傾斜した屋根Ｒを支持する屋根支持体１０であって、山形状に形成されて、互いに反対側に傾斜する屋根Ｒを下方から支持する屈曲梁１Ｂ，１Ｃと、この屈曲梁１Ｂ，１Ｃの各端部にそれぞれ上端部が固定されて、前記屈曲梁１Ｂ，１Ｃを支持する二本の第１支持柱２と、各第１支持柱２にそれぞれ固定され、屋根Ｒの傾斜方向と同方向に傾斜する斜辺部３１によって前記屋根Ｒを下方から支持する二つの三角形状の建築用パネル３と、前記屈曲梁１Ｂ，１Ｃの屈曲部１１に上端部が固定されて、前記屈曲部１１を下方から支持する第２支持柱４と、を備え、前記屈曲梁１Ｂと第１支持柱２は第１接合部材５によって一体的に接合されており、前記屈曲梁１Ｂ，１Ｃと第２支持柱４は第２接合部材６によって一体的に接合されており、前記屈曲梁１Ｂ，１Ｃの端部と第１支持柱２の上端部とには、屈曲梁１Ｂ，１Ｃから第１支持柱２まで連続する第１溝５５が形成され、前記屈曲梁１Ｂ，１Ｃの屈曲部１１と第２支持柱４の上端部とには、屈曲梁１Ｂ，１Ｃから第２支持柱４まで連続する第２溝６６が形成され、前記第１溝５５に第１接合部材５が挿入されて、前記屈曲梁１Ｂ，１Ｃおよび第１支持柱２に固定され、前記第２溝６６に第２接合部材６が挿入されて、前記屈曲梁１Ｂ，１Ｃおよび第２支持柱４に固定されていることを特徴とする。
【００１０】
請求項３記載の発明によれば、第１支持柱２によって支持された屈曲梁１と、第１支持柱２に固定された建築用パネル３の斜辺部３１によって屋根Ｒを下方から支持することができる。そして、屈曲梁１の各端部より内側には建築用パネル３は存在せず、開口された状態になる。よって、従来のように形状や大きさの異なる複数種の建築用パネル３を組み合わせることなく、開口部７を形成できる。なお、屋根支持体１０を外壁側に配置した際は、その開口部７に窓を設けることができ、小屋裏内に配置した際は、その開口部７に出入口を設けることができる。
また、屈曲梁１Ｂの屈曲部１１に第２支持柱４の上端部が固定されているため、屈曲梁１Ｂを二本の第１支持柱２と一本の第２支持柱４とによって支持することになる。よって、第１支持柱２のみで屈曲梁１を支持するよりも強固な屋根支持体２０とすることができる。なお、屈曲梁１の下方の開口部７は、第２支持柱４によって分割されるが、窓や出入口がこの分割された開口部７内に収まる大きさであるときには、第２支持柱４を備えた屋根支持体２０を用いる方が好ましい。
また、屈曲梁１Ｂと第１支持柱２は第１接合部材５によって一体的に接合されており、屈曲梁１Ｂと第２支持柱４は第２接合部材６によって一体的に接合されているため、屈曲梁１Ｂと第１支持柱２と第２支持柱４とが一体となった構造体を構築できる。よって、屋根支持体２０の強度を高めることができる。
また、第１接合部材５は第１溝５５に挿入されて、屈曲梁１Ｂ，１Ｃおよび第１支持柱２に固定され、第２接合部材６は第２溝６６に挿入されて、屈曲梁１Ｂ，１Ｃおよび第２支持柱４に固定されるため、例えば、屋根支持体２０，３０を内壁に用いた際に、両接合部材５，６は室内に露出することがなく、美観を損ねることがない。また、両接合部材５，６は、屈曲梁１Ｂ，１Ｃ、第１支持柱２、第２支持柱４のいずれからも突出することはなく、他の部材を取り付ける際に邪魔とならない。
【００１５】
【発明の実施の形態】
以下、図面を参照して本発明に係る実施の形態の屋根支持体について詳細に説明する。
〔第１の実施の形態〕
図１〜図３は、本発明の第１の実施の形態を示すものである。
屋根支持体１０は、図１に示すように、住宅の小屋裏に設置され、住宅の傾斜した屋根Ｒを支持するものであり、屈曲梁１、第１支持柱２、建築用パネル３、第１接合部材５等を備えている。
【００１６】
屈曲梁１は、正面視山形状に形成された梁材であり、互いに反対側に傾斜する屋根Ｒを下方から支持するものである。また、屈曲梁１は、その傾斜が屋根Ｒの傾斜と同程度に形成されており、屈曲梁１の屈曲部１１が屋根Ｒの棟に位置するように設置されている。
また、屈曲梁１の各端部には、第１支持柱２を接合するためのボルト孔１２が正面側から背面側へ貫通するように、例えば２つずつ形成されている。さらに、屈曲梁１の各端部には、屈曲梁１の奥行きの長さをほぼ二等分する位置に溝が形成されている。
【００１７】
第１支持柱２は、その上端部が屈曲梁１の各端部に固定されて、屈曲梁１を支持するものである。第１支持柱２の上端部は、屈曲梁１と同程度の傾斜が形成されており、屈曲梁１に隙間なく固定できるものとされている。一方、第１支持柱２の下端部は、小屋裏の床面に固定されている。
また、第１支持柱２の上端部には、屈曲梁１に固定するためのボルト孔２２が正面側から背面側へ貫通するように、例えば２つずつ形成されている。さらに、第１支持柱２の上端部には、第１支持柱２の奥行きの長さをほぼ二等分する位置に溝が形成されている。
また、上述の屈曲梁１の各端部に形成された溝と第１支持柱２の上端部に形成された溝は、屈曲梁１の端部に第１支持柱２の上端部を当接させることにより、屈曲梁１から第１支持柱２まで連続する第１溝５５となり、この第１溝５５に第１接合部材５が挿入されている。
【００１８】
建築用パネル３は、屈曲梁１と同様、屋根Ｒを下方から支持するものであり、２本の第１支持柱２のそれぞれに１つずつ取り付けられている。建築用パネル３は、例えば、三角形状の屋切パネルが用いられ、屋根Ｒと同程度の傾斜が形成された斜辺部３１が屋根Ｒを支持している。
また、建築用パネル３の高さ方向の高さ部３２は、第１支持柱２とほぼ同じ長さを有しており、第１支持柱２および屈曲梁１の各端部にそれぞれ固定されている。また、建築用パネル３の底辺となる底辺部３３は、小屋裏の床面にそれぞれ固定されている。
【００１９】
第１接合部材５は、屈曲梁１と第１支持柱２とを一体的に接合するものであり、その表面にはボルト孔５１，５２が形成されている。また、第１接合部材５は、正面視略厂字形状を有し、上記第１溝５５とほぼ同じ形状および大きさに形成され、第１溝５５に挿入されている。
このとき、屈曲梁１のボルト孔１２と第１接合部材５のボルト孔５１とが同軸上に並ぶとともに、第１支持柱２のボルト孔２２と第１接合部材５のボルト孔５２とが同軸上に並び、ボルトおよびナットによって、それぞれが一体的に固定されている。
【００２０】
以上のように、本実施の形態の屋根支持体１０においては、第１支持柱２によって支持された屈曲梁１と、第１支持柱２に固定された建築用パネル３の斜辺部３１によって屋根Ｒを下方から支持することができる。そして、屈曲梁１の各端部より内側には建築用パネル３は存在せず、開口された状態になる。よって、従来のように形状や大きさの異なる複数種の建築用パネル３を組み合わせることなく、開口部７を形成できる。また、工場での各部材の生産工程、建築現場での施工工程を減らすことができ、作業を煩雑にすることがない。
さらに、屋根支持体１０を住宅の妻側の外壁に配置すれば、その開口部７に窓を設けることができ、小屋裏内に太陽光を採り入れることができるため、開放的な居室として利用できる。また、屋根支持体１０を小屋裏内に配置し、開口部７に扉を設けて隣接する居室間を移動可能にしてもよいし、開口部７を開放したままで隣接する空間を一つの居室にすることも可能である。
【００２１】
また、屋根支持体１０は、第１接合部材５によって一体的に接合されており、屈曲梁１と第１支持柱２とが一体となった構造体とすることができる。よって、屋根支持体１０の強度を高めることができる。
また、第１接合部材５は第１溝５５に挿入されて、屈曲梁１および第１支持柱２に固定されるため、例えば、屋根支持体１０を内壁に用いた際に、第１接合部材５は室内に露出することがなく、美観を損ねることがない。また、第１接合部材５は、屈曲梁１、第１支持柱２のどちらからも突出することはなく、他の部材を取り付ける際に邪魔とならない。
また、屋根Ｒの重量が屋根支持体１０に作用するが、屋根支持体１０は、屈曲部１および建築用パネル３の斜辺部３１によって棟から軒まで一様に支持されているため、上述のように棟の下方に開口部７があっても、屋根Ｒを十分に支持できる。
【００２２】
〔第２の実施の形態〕
図４および図５は、本発明の第２の実施の形態を示すものである。図４に示す屋根支持体２０が図２に示した屋根支持体１０と異なる点は、屈曲梁１Ｂの屈曲部１１に第２支持柱４を設けた点であるので、以下では第２支持柱４の固定に関わる屈曲梁１Ｂ、第２支持柱４、第２接合部材６について説明し、その他の共通部分には同一符号を付してその説明を省略する。
【００２３】
屈曲梁１Ｂは、第１の実施の形態の屈曲梁１の屈曲部１１に、第２支持柱４を接合するためのボルト孔１３が正面側から背面側へ貫通するように、かつ、屈曲部１１から等間隔離れた位置に、例えば４つずつ形成されている。さらに、屈曲梁１Ｂの屈曲部１１には、屈曲梁１Ｂの奥行きの長さをほぼ二等分する位置に溝が形成されている。
【００２４】
第２支持柱４は、その上端が屈曲梁１Ｂの屈曲部１１に固定されて、屈曲部１１を下方から支持するものである。第２支持柱４の上端部は、屈曲梁１Ｂの屈曲部１１の山形と同様の山形に形成されており、屈曲梁１Ｂに隙間なく固定できるものとされている。一方、第２支持柱４の下端部は、小屋裏の床面に固定されている。
また、第２支持柱４の上端部には、屈曲梁１Ｂに固定するためのボルト孔４３が正面側から背面側へ貫通するように、例えば２つ形成されている。さらに、第２支持柱４の上端部には、第２支持柱４の奥行きの長さをほぼ二等分する位置に溝が形成されている。
また、上述の屈曲梁１Ｂの屈曲部１１に形成された溝と第２支持柱４の上端部に形成された溝とは、屈曲部１１に第２支持柱４の上端部を当接させることにより、屈曲梁１Ｂから第２支持柱４まで連続する第２溝６６となり、この第２溝６６に第２接合部材６が挿入されている。
【００２５】
第２接合部材６は、屈曲梁１Ｂと第２支持柱４とを一体的に接合するものであり、その表面にはボルト孔６１，６４が形成されている。また、第２接合部材６は、正面視略矢印形状を有し、上記第２溝６６とほぼ同じ形状および大きさに形成され、第２溝６６に挿入されている。
このとき、屈曲梁１Ｂのボルト孔１３と第２接合部材６のボルト孔６１とが同軸上に並ぶとともに、第２支持柱４のボルト孔４３と第２接合部材６のボルト孔６４とが同軸上に並び、ボルトおよびナットによって、それぞれが一体的に固定されている。
【００２６】
以上のように、本実施の形態の屋根支持体２０においては、屈曲梁１Ｂは２本の第１支持柱２に加えて第２支持柱４によっても支持されているため、上述の屋根支持体１０に比べて屈曲梁１Ｂおよび屋根Ｒの支持力を高めることができる。
また、屈曲梁１Ｂの下方の開口部７は、第２支持柱４によって分割されるが、窓や出入口がこの分割された開口部７内に収まる大きさであるときには、屋根支持体１０より支持力の大きな屋根支持体２０を用いることができ、必要な大きさの開口部７を確保しながらも、支持力を可能な限り高められる屋根支持体２０を提供できる。
【００２７】
また、図６および図７に示すように、直線状の一対の梁１ｃを山形状になるように接合した屈曲梁１Ｃを用いた屋根支持体３０でもよい。この屈曲梁１Ｃを形成する際は、上記の屈曲梁１，１Ｂと異なり、直線状の梁材を屈曲させる必要がない。また、屈曲梁１Ｃに第２支持柱４を固定するための第２接合部材６は、梁１ｃ同士を接合する接合部材としても機能しているため、梁１ｃを接合するための接合部材を別途必要としない。さらに、屈曲梁１Ｃは、約半分の大きさに分割可能となるため、屈曲梁１Ｃの製造を容易にできるとともに、屈曲梁１Ｃの運搬を容易にできる。
【００２８】
なお、本発明に係る屋根支持体の構造は、上記実施の形態に限定されるものではなく、発明の要旨を逸脱しない範囲で設計変更、改良、組み合わせ等がなされた構造を包含するものである。
【００２９】
【発明の効果】
請求項１記載の発明によれば、第１支持柱によって支持された屈曲梁と、第１支持柱に固定された建築用パネルの斜辺部によって屋根を下方から支持することができる。そして、屈曲梁の各端部より内側には建築用パネルは存在せず、開口された状態になる。よって、従来のように形状や大きさの異なる複数種の建築用パネルを組み合わせることなく、開口部を形成できる。
また、第１支持柱のみで屈曲梁を支持するよりも強固な屋根支持体とすることができる。
また、屈曲梁と第１支持柱と第２支持柱とが一体となった構造体を構築できる。よって、屋根支持体の強度を高めることができる。
また、屈曲梁を形成する際に、直線状の梁材を屈曲させる必要がなくなる。また、梁を接合するための接合部材を別途必要としない。さらに、屈曲梁は、約半分の大きさに分割可能となるため、屈曲梁を容易に製造できるとともに、屈曲梁の運搬を容易にできる。
【００３０】
請求項２記載の発明によれば、例えば、屋根支持体を内壁に用いた際に、両接合部材は室内に露出することがなく、美観を損ねることがない。また、両接合部材は、屈曲梁、第１支持柱、第２支持柱のいずれからも突出することはなく、他の部材を取り付ける際に邪魔とならない。
【００３１】
請求項３記載の発明によれば、第１支持柱によって支持された屈曲梁と、第１支持柱に固定された建築用パネルの斜辺部によって屋根を下方から支持することができる。そして、屈曲梁の各端部より内側には建築用パネルは存在せず、開口された状態になる。よって、従来のように形状や大きさの異なる複数種の建築用パネルを組み合わせることなく、開口部を形成できる。
また、第１支持柱のみで屈曲梁を支持するよりも強固な屋根支持体とすることができる。
また、屈曲梁と第１支持柱と第２支持柱とが一体となった構造体を構築できる。よって、屋根支持体の強度を高めることができる。
また、例えば、屋根支持体を内壁に用いた際に、両接合部材は室内に露出することがなく、美観を損ねることがない。また、両接合部材は、屈曲梁、第１支持柱、第２支持柱のいずれからも突出することはなく、他の部材を取り付ける際に邪魔とならない。
【図面の簡単な説明】
【図１】本発明の第１の実施の形態の屋根支持体を説明するための住宅の斜視図である。
【図２】上記実施の形態の屋根支持体を説明するための正面図である。
【図３】上記実施の形態の屈曲梁と第１支持柱との接合構造を説明するための斜視図である。
【図４】本発明の第２の実施の形態の屋根支持体を説明するための正面図である。
【図５】上記実施の形態の屈曲梁と第１支持柱、および屈曲梁と第２支持柱との接合構造を説明するための斜視図である。
【図６】上記実施の形態における屈曲梁を分割した屋根支持体を説明するための正面図である。
【図７】上記実施の形態における屈曲梁を分割した場合の屈曲梁と第１支持柱、および屈曲梁と第２支持柱との接合構造を説明するための斜視図である。
【図８】上記第１の実施の形態の第１接合部材を説明するための図である。
【図９】上記第２の実施の形態の第２接合部材を説明するための図である。
【符号の説明】
１、１Ｂ、１Ｃ      屈曲梁
２                  第１支持柱
３                  建築用パネル
４                  第２支持柱
５                  第１接合部材
６                  第２接合部材
１０                屋根支持体
１１                屈曲部
３１                斜辺部
５５                第１溝
６６                第２溝
１ｃ                梁
Ｒ                  屋根
【図１】
0003927832.tif 000002
【図２】
0003927832.tif 000003
【図３】
0003927832.tif 000004
【図４】
0003927832.tif 000005
【図５】
0003927832.tif 000006
【図６】
0003927832.tif 000007
【図７】
0003927832.tif 000008
【図８】
0003927832.tif 000009
【図９】
0003927832.tif 000010